(57)【要約】      （修正有）【課題】タンク大型化、ＰＣ導入力の増加にも適応できる技術であって、側壁の断面性能を低下させることなく、簡易かつ安価に周方向のＰＣケーブルを緊張固定することを可能とした地上タンクを提供する。【解決手段】コンクリート製の底版１０と、円筒状もしくは略円筒状でコンクリート製の側壁２０と、側壁に配設された周方向のＰＣケーブル３２とを備え、側壁の外側に突出した二つのＰＣケーブルの端部が、側壁の外側において繋がれていることを特徴として地上タンク１を形成する。【選択図】図１
0003172875.tif 000002
【実用新案登録請求の範囲】
【請求項１】
コンクリート製の底版と、円筒状もしくは略円筒状でコンクリート製の側壁と、前記側壁に配設された周方向のＰＣケーブルと、を備える地上タンクであって、
前記側壁の外側に突出した二つのＰＣケーブルの端部が、当該側壁の外側において繋がれていることを特徴とする、地上タンク。
【請求項２】
前記側壁の外面に沿って、一対の突出部が隙間をあけて形成されており、
前記二つのＰＣケーブルの端部は、それぞれ前記突出部を貫通して前記隙間において繋がれていることを特徴とする、請求項１に記載の地上タンク。
【考案の詳細な説明】
【技術分野】
【０００１】
本考案は、地上タンクに関する。
【背景技術】
【０００２】
ＬＮＧやＬＰＧ、工業用水等を貯蔵するための従来の地上タンクは、底版と、底版に剛結合される側壁と、側壁の上端に接続する平板状またはドーム状の外槽屋根とから構成されている。
側壁は防液堤とも称され、その下端近傍、すなわち、底版と接合する箇所からその上方の一定の範囲においては、側壁の他の部位に比べて大きな断面力（曲げモーメントやせん断力など）が生じるために、該下端近傍の部材断面を他の部位に比べて相対的に大きくしたり、過密に配筋するなどの措置が講じられている。この地上タンクは、その用途や規模によって構成材料や構造形式が多様に存在するものの、ＬＮＧ貯蔵用タンク等の比較的大規模で耐久性が要求される場合においては、鉄筋コンクリート構造物として現場施工されているのが一般的である。そして、このＬＮＧ貯蔵用タンクの場合にはさらに、底版や側壁（防液堤）、外槽屋根の内側に保冷材層が形成され、その内側に内槽板層などが形成されてタンクの液密性と保冷性が保証されている。
【０００３】
このような地上タンクは、ＰＣケーブルなどの緊張材が側壁や底版の内部に配設されて所望する緊張力が導入されていることで効果的に鉄筋量を低減することができ、ひびわれを防止することができる。緊張力の導入方法としては、底版や側壁などに予めシース管を埋設しておき、底版や側壁の構築後にシース管内にＰＣケーブルを挿入するとともにＰＣケーブルの端部を引っ張ることで、緊張力（プレストレス力）を該シース管に導入し、底版や側壁に圧縮力を作用させるポストテンション方式の他、予めプレストレス力が導入されたＰＣケーブルを底版や側壁内部に埋め込んでおき、底版や側壁などの構築後にＰＣケーブルからプレストレス力を解放することで側壁などに圧縮力（軸力）を作用させる、プレテンション方式などがある。
【０００４】
ここで、側壁に埋設されるＰＣケーブルとしては、縦方向（鉛直方向）のＰＣケーブルと周方向のＰＣケーブルがある。
【０００５】
縦方向のＰＣケーブルは、例えば側壁断面の中央付近にその上端から底版まで延びる態様で埋設されて緊張されるものであり、側壁に対して鉛直方向の圧縮力を付与して該側壁に作用する曲げモーメントに抗する曲げ耐力を高めるためのものであり、側壁下端の過大な曲げモーメントに抗するべく側壁下方で外側に張り出す段部を有する形態においては、この段部の断面にも短尺のＰＣケーブルが埋設され、緊張力が導入されている。
【０００６】
一方、周方向のＰＣケーブルは、側壁内においてたとえば縦方向のＰＣケーブルの外側に配設されて緊張され、側壁に周方向の圧縮力を付与することにより、地上タンク内にＬＮＧやＬＰＧ等の液体が収容された際にその液圧で側壁の周方向に生じ得る引張力を解消しようとするものである。
【０００７】
周方向のＰＣケーブルを緊張する方法は、たとえば特許文献１で開示されるように側壁の外側に突出するいわゆるピラスターに対し、その左右方向から延びてきたＰＣケーブルを交差させてピラスターの左右側面に定着板を介して緊張固定するのが一般的である。
【０００８】
ピラスターの内部には、その左右端面に臨むようにシース管（トランペットシース管）が埋設され、ここを挿通したＰＣケーブルが緊張されるとともにシース管内にはグラウトが充填され、この緊張力が支圧板を介してピラスターに反力となる圧縮力を付与した状態でＰＣケーブルの緊張定着が図られている。
【０００９】
また、ピラスターの配筋構造としては、ピラスター筋と称されるひび割れ防止筋や幅止め筋を配し、さらには、圧縮力によってシース管周りのコンクリート内に割裂応力が作用してひび割れが誘発されるのを抑制するべく、シース管の周囲にスパイラル筋を配した構造が一般に適用されている。
【００１０】
しかし、このようなピラスターでは、左右から交差姿勢で進入する２つのＰＣケーブル用のシース管とその周りのスパイラル筋、ピラスター筋などが密に埋設されていることから、施工に手間がかかるとともに、コンクリートの充填不良箇所が発生するおそれがある。
【００１１】
なお、ピラスターの内部では、左右の定着板の間に圧縮領域が形成されるため、ピラスターは、この圧縮力に対して十分な耐力を備えたものである必要があった。
【００１２】
また、ＰＣケーブルの端部をピラスターにおいて個別に緊張しているため、二つのＰＣケーブルの端部は、２系統に分断した状態となる。そのため、側壁に導入される周方向の圧縮力は、局所的に異なってしまう。
【００１３】
また、ピラスターは、一方のＰＣケーブルの端部は上方向に緊張し、他方のＰＣケーブルの端部は下方向に緊張しているのが一般的である。そのため、ピラスターの内部には、力のねじれが生じてしまい、構造上不利となる。ゆえに、ピラスターは、ねじれ方向の力（曲げモーメント）に対する補強も必要となる。
【００１４】
さらに、左右方向からのびてきたＰＣケーブルを上下に交差させることで、ＰＣケーブルの端部同士の間に高さ方向の段差が生じる。そのため、このＰＣケーブルの端部同士の段差により、ＰＣケーブルの高さ方向の配設ピッチが制限される場合があった。
【００１５】
一方、特許文献２には、側壁に凹部を形成し、この凹部内において定着装置を介して二つのＰＣケーブルの端部を繋ぐ地上タンクが開示されている。この地上タンクによれば、ピラスターを形成することなく、周方向のＰＣケーブルを緊張することができる。
【００１６】
ところが、特許文献２の地上タンクは、凹部による側壁の断面欠損が懸念される。また、ＰＣケーブルの本数が増えると、ケーブルの二つの端部を繋ぐための広さ（凹部の深さ方向の面積）が必要となる。そのため、タンクの内空側に側壁の増厚部分を形成するなどして補強する必要があるが、タンク内側に増厚部分を設けると、タンク内空断面積が小さくなり、タンク容量が小さくなるので、好ましくない。
【００１７】
また、緊張用ジャッキを用いてＰＣケーブルを緊張する際には、ジャッキを移動させながら緊張力を導入していくため、凹部の長手方向の寸法には、ジャッキの移動量を考慮した長さが必要であるが、タンク容量が大型化すると、ＰＣ導入力も大きくなり、ジャッキの移動量も大きくなる。
ジャッキの移動量が大きくなると、必要な凹部の長手方向の寸法が大きくなり、その分、側壁断面の欠損領域が大きくなる。そのため、特許文献２の地上タンクは、大型タンクには適さない。
【先行技術文献】
【特許文献】
【００１８】
【特許文献１】特開２００６−２９１５８２号公報
【特許文献２】特開昭５０−５８８４１号公報
【考案の概要】
【考案が解決しようとする課題】
【００１９】
本考案は、前記の問題点を解決することを目的とするものであり、タンク大型化、ＰＣ導入力の増加にも適応できる技術であって、側壁の断面性能を低下させることなく、簡易かつ安価に周方向のＰＣケーブルを緊張固定することを可能とした地上タンクを提案することを課題とする。
【課題を解決するための手段】
【００２０】
前記課題を解決するために、本考案の地上タンクは、コンクリート製の底版と、円筒状もしくは略円筒状でコンクリート製の側壁と、前記側壁に配設された周方向のＰＣケーブルとを備えるものであって、前記側壁の外側に突出した二つのＰＣケーブルの端部が、当該側壁の外側において繋がれていることを特徴としている。
【００２１】
かかる地上タンクは、側壁に欠損部となる凹部を形成しないため、側壁の断面性能が低下することがない。
また、側壁の外側でＰＣケーブルの端部同士を繋ぐため、ＰＣケーブルの本数の増減や緊張力の大きさにより、施工不能となることもない。
【００２２】
本実施形態の地上タンク１は、ＰＣケーブルの端部同士を連結することで、ＰＣケーブルが１つの輪として形成される。そのため、側壁に対して、一様な大きさの圧縮力を導入することが可能となる。
さらに、ピラスターの構築に要する手間や費用を省略することができる。
ここで、「二つのＰＣケーブルの端部」とは、１本のＰＣケーブルを側壁の周方向に沿って配設する場合には当該ＰＣケーブルの両端部、複数本のＰＣケーブルを側壁の周方向に沿って配設する場合には隣り合う２本のＰＣケーブルの各端部を意味する。
【００２３】
また、前記地上タンクは、前記側壁の外面に沿って、一対の突出部が隙間をあけて形成されており、前記二つのＰＣケーブルの端部は、それぞれ前記突出部を貫通して前記隙間において繋がれているものであってもよい。
【００２４】
かかる地上タンクによれば、ＰＣケーブルの端部同士の繋ぎ部分が側壁の外面の接触することで側壁が損傷することを防止することが可能となる。
【考案の効果】
【００２５】
本考案の地上タンクによれば、タンク大型化、ＰＣ導入力の増加にも適応でき、側壁の断面性能を低下させることなく、簡易かつ安価に周方向のＰＣケーブルを緊張固定することを可能となる。
【図面の簡単な説明】
【００２６】
【図１】本考案の実施形態に係る地上タンクを示す図であって、（ａ）は立面図、（ｂ）は（ａ）の部分拡大図である。
【図２】図１に示す地上タンクの平面図である。
【図３】突設部材の取り付け状況を示す断面図である。
【図４】（ａ）は側壁の拡大断面図、（ｂ）は（ａ）のＡ−Ａ断面図である。
【図５】（ａ）および（ｂ）は、ＰＣケーブルの配置を示す断面図である。
【図６】（ａ）は図５の（ａ）のＢ−Ｂ断面図、（ｂ）は（ａ）のＣ−Ｃ断面図である。
【図７】（ａ）はアンカープレートの正面図、（ｂ）は（ａ）のＤ−Ｄ断面図である。
【図８】他の形態に係る地上タンクを示す立面図である。
【考案を実施するための形態】
【００２７】
本考案の実施形態に係る地上タンク１について、図面を参照して説明する。
地上タンク１は、図１に示すように、底版１０と、側壁２０と、ＰＣケーブル３０と、屋根４０とを備えている。
【００２８】
地上タンク１の内部空間（底版１０、側壁２０および屋根４０により囲まれた空間）には、液体等が収容される。なお、地上タンク１の収容物は限定されるものではなく、例えばＬＮＧ、ＬＰＧ、工業用水等を収容することができる。
【００２９】
本実施形態の地上タンク１は、底版１０、側壁２０および屋根４０の内側に内槽板５０が設けられた二重構造により構成する。底版１０、側壁２０および屋根４０と内槽板５０との間には、保冷材５１が充填されている。なお、地上タンク１は、必ずしも二重構造である必要はない。
【００３０】
底版１０は、地盤上に形成された鉄筋コンクリート製の版状部材であって、直接基礎を兼ねている。
なお、底版１０は、必ずしも基礎を兼ねるものである必要はなく、底版１０とは別に基礎構造を構築してもよい。また、地上タンク１の基礎構造として、杭基礎やパイルドラフト基礎を適用してもよい。
【００３１】
底版１０は、側壁２０の外形状と同等以上の平面形状を有している。なお、底版１０の平面形状は限定されるものではなく、例えば円形や正方形等であってもよい。
底版１０の厚さは、基礎地盤の土質や、上載荷重（地上タンク１の自重等）に応じて適宜設定する。
【００３２】
底版１０には、図示しない放射状のＰＣケーブルと、リング状のＰＣケーブルとが、緊張力が導入された状態で配設されている。
なお、底版１０内のＰＣケーブルは、必要に応じて配置すればよい。
【００３３】
側壁２０は、防液堤を構成する鉄筋コンクリート製部材であって、底版１０の上面に立設されている。側壁２０の下端は底版１０に剛結合されている。本実施形態の側壁２０は、図２に示すように、円筒状に形成されている。なお、側壁２０の形状は、円筒状に限定されるものではなく、例えば楕円形をなす筒状（略円筒状）であってもよい。また、側壁２０の下端部に段部（壁厚部）を具備するものであってもよい。
【００３４】
側壁２０には、互いに対向するように形成された一対の突出部２１，２１が、周方向に対して等間隔で、４箇所に形成されている。
なお、突出部２１の配置や数は限定されるものではない。
【００３５】
突出部２１は、図１に示すように、側壁２０に沿って、高さ方向に連続して形成された突出部分であって、側壁２０の外面に一体に形成されている。
なお、突出部２１は、上下方向に対して、複数に分割されていてもよい。
【００３６】
一対の突出部２１，２１は、隙間２２をあけて形成されており、図３に示すように、この隙間２２（凹部）には、ＰＣ定着部６０が配置されている。
つまり、一対の突出部２１，２１は、ＰＣ定着部６０を挟んで両側にそれぞれ形成されていて、隙間２２を形成している。
【００３７】
突出部２１の内部には、後記するＰＣケーブル３０（周ケーブル３２）を挿通するためのシース管２３が配管されている。シース管２３は、側壁２０から突出部２１まで連続して配管されている。
【００３８】
突出部２１の外面は、平面部２１ａとすり付け部２１ｂとを有している。
平面部２１ａは、ＰＣ定着部６０の位置において、側壁２０の外面に接する平面（接平面）と平行である。一対の突出部２１，２１の平面部２１ａ，２１ａは、同一平面上に形成されている。
【００３９】
一方、すり付け部２１ｂは、平面部２１ａから側壁２０の外面に至る平面（接平面）である。
平面部２１ａとすり付け部２１ｂとの交点の内角は、なるべく大きい方が望ましい。
【００４０】
側壁２０には、図４の（ａ）および（ｂ）に示すように、周方向で所定のピッチで配筋された縦筋２４と、上下方向で所定のピッチで配筋された横筋２５とを備えている。
縦筋２４および横筋２５は、側壁２０の外面から所定の被りを確保して配筋されている。なお、側壁２０には、必要に応じて、せん断補強筋を配筋してもよい。
【００４１】
側壁２０には、シース管２３が配管されている。シース管２３は、外面側に配筋された縦筋２４の内側に位置している。シース管２３は、後記するＰＣケーブル３０（周ケーブル３２）を挿通するための貫通孔を形成しており、隙間２２に開口している。
【００４２】
側壁２０の内部には、図１に示すように、ＰＣケーブル３０が埋設されている。
ＰＣケーブル３０は、ＰＣ鋼より線により構成されている。なお、ＰＣケーブル３０を構成する材料は限定されるものではなく、例えば、ＰＣ鋼線やＰＣ鋼棒を使用してもよい。
【００４３】
側壁２０に埋設されるＰＣケーブル３０としては、縦方向（鉛直方向）のＰＣケーブル（以下、「縦ケーブル」という）３１と、周方向のＰＣケーブル（以下、「周ケーブル」という）３２とがある。
【００４４】
縦ケーブル３１は、側壁２０の厚さ方向の中央付近において上下方向に連続して配設されている。縦ケーブルの下端は、底版１０に定着している。側壁２０には、側壁２０の周方向に間隔をあけて複数本の縦ケーブル３１，３１，…が配設されている。
【００４５】
縦ケーブル３１には、緊張力が導入されていて、側壁２０に対して鉛直方向の圧縮力を付与している。こうすることで、側壁２０の曲げ耐力が高められる。
【００４６】
周ケーブル３２は、側壁２０内において縦ケーブル３１の外側に配設されている。
周ケーブル３２には、緊張力が導入されており、側壁２０に周方向の圧縮力を付与している。こうすることにより、地上タンク１内の液圧等により側壁２０の周方向に生じ得る引張力を解消、あるいは、低減することが可能となる。
【００４７】
周ケーブル３２は、図３に示すように、側壁２０の内部に配設されたシース管２３に挿通されている。周ケーブル３２の端部は、側壁２０から突出し、側壁２０の外側に配設されたＰＣ定着部６０に向けて延びている。
【００４８】
側壁２０から突出した二つの周ケーブル３２の端部は、ＰＣ定着部６０に固定されている。
【００４９】
本実施形態では、図５の（ａ）および（ｂ）に示すように、同一の高さレベルに配設された２本の周ケーブル３２，３２の端部同士をＰＣ定着部６０において繋ぎ合わせることにより、側壁２０に対して周方向の圧縮力を付与している。
【００５０】
なお、同一の高さレベルに配設される周ケーブル３２の本数は限定されるものではなく、例えば、１本の周ケーブル３２を配設して、その両端を一つのＰＣ定着部６０により繋いでもよいし、３本以上の周ケーブル３２，３２，…を配設して、隣接する周ケーブル３２，３２の端部同士をＰＣ定着部６０で繋いでもよい。
【００５１】
ＰＣ定着部６０は、図３に示すように、側壁２０の外側に配設されている。本実施形態では、同じ高さ位置に配設された２本の周ケーブル３２，３２に対して、２つのＰＣ定着部６０，６０が配設されている。つまり、２つのＰＣ定着部６０、６０は、地上タンク１の内空を挟んで対向する位置にそれぞれ配置されている（図５参照）。
【００５２】
任意の周ケーブル３２の高さ位置に応じて配設されたＰＣ定着部６０（図５の（ａ）参照）と、この周ケーブル３２の上方または下方の周ケーブル３２の高さレベルに応じて配設されたＰＣ定着部６０（図５の（ｂ）参照）とは、地上タンク１を平面視した際に、異なる平面位置となるように配置されている。
なお、ＰＣ定着部６０の数量や配設ピッチは限定されるものではなく、周ケーブル３２の本数等に応じて適宜設定すればよい。
【００５３】
ＰＣ定着部６０は、図６の（ｂ）に示すように、ＰＣ定着部６０を挟んで両側から突出した周ケーブル３２，３２の端部同士を連結している。
【００５４】
ＰＣ定着部６０は、図６の（ａ）および（ｂ）に示すように、プレート状のアンカーヘッド６１を備えて構成されている。
【００５５】
アンカーヘッド６１には、その両側から延びてきた周ケーブル３２，３２の端部が固定される。２本の周ケーブル３２，３２は、アンカーヘッド６１を介して繋がれている。
アンカーヘッド６１には、図７の（ａ）および（ｂ）に示すように、双方の周ケーブル３２，３２の端部が挿通される複数の挿通孔６２，６２，…が形成されている。
【００５６】
アンカーヘッド６１への周ケーブル３２に固定は、一方の周ケーブル３２の端部を挿通孔６２に挿通して固定し、次いで他方の周ケーブル３２の端部を他の挿通孔６２に挿通するとともに、この端部を緊張してアンカーヘッド６１に固定することにより行う。こうすることで、所望する緊張力を容易に周ケーブル３２，３２に導入して、双方の端部同士を緊張姿勢で繋ぐことができる。
【００５７】
周ケーブル３２の緊張後、シース管２３にはグラウト等が充填され、周ケーブル３２とシース管２３との一体化を図る。
また、隙間２２には、ＰＣ定着部６０による周ケーブル３２を固定（緊張）した後、モルタル等を充填する。隙間２２が間詰めされることで、突出部２１，２１により形成された側壁２０の突出部分が略流線形となる。
【００５８】
屋根４０は、図１に示すように、側壁２０の上部で支持されるドーム状のコンクリート製もしくは鋼製の部材である。屋根４０を構成する材料は限定するものではない。また、屋根４０の形状も限定されるものではなく、例えば平板状に形成する等、側壁２０の形状や収容物等に応じて適宜形成すればよい。
【００５９】
本実施形態の地上タンク１によれば、側壁２０の外側において、ＰＣ定着部６０を介して周ケーブル３２を緊張するため、側壁２０に欠損部（凹部）が形成されることがなく、構造的に優れている。
また、側壁２０の外面に突出部２１が形成された簡易な構成のため、施工性に優れており、かつ、安価である。また、タンクの内空部に増厚部分を形成する必要がないため、タンクの容量が小さくなることもない。
【００６０】
また、周ケーブル３２の緊張力を導入することで、側壁２０のコンクリートに対して圧縮力を一様に導入することが可能となる。
凹部（欠損部）を有した従来の地上タンク（特許文献２等）は、凹部における側壁の断面積が他の部分よりも小さいため、過度な緊張力が導入され、ひいては、過度な圧縮力が欠損部のコンクリート断面に発生することとなるが、本実施形態の地上タンク１によれば、このような局所的な応力集中が発生することがない。
また、凹部を備えた従来の地上タンクは、凹部の空隙をモルタル等で充填するものの、モルタル充填箇所には周ケーブルの緊張力が導入されていない。つまり、凹部（欠損部）にモルタルが充填された領域では、圧縮力が導入されていないため、側壁に弱部が存在することとなるが、本実施形態の地上タンク１は、側壁２０全断面に対して圧縮力を一様に導入しているため、このような弱部が存在することもない。
【００６１】
周ケーブルの３２の本数や、周ケーブル３２のＰＣ導入力が増加した場合であっても、突出部２１の形状により隙間２２の形状を大きくして対応することが可能である。そのため、タンクの大型化やＰＣ導入力の増加に適用可能である。
【００６２】
一対の突出部２１，２１により、周ケーブル３２の端部同士の接合部（ＰＣ定着部６０）が略流線形に形成されているため、側壁２０の周囲に風の吹き溜まり部分が形成されることがない。そのため、例えば、海に近い場所に地上タンク１を形成した場合であっても、塩分を含んだ砂等が局所的に堆積することはなく、したがって、部分的に劣化が進行することを防止することができる。
【００６３】
上下に隣接する周ケーブル３２，３２は、端部同士の繋ぎ箇所（ＰＣ定着部６０の配置）が鉛直方向で同一箇所に集中しないように配置されているため、不要な偏心が生じることが防止されている。
【００６４】
周ケーブル３２は、端部同士を互いに繋ぎ合わせた状態で緊張力が導入されているため、突出部２１への負担は小さい。そのため、突出部２１は、従来のピラスターのように、鉄筋等が密に配設された構造とする必要がなく、簡易かつ高品質に構築することができる。
つまり、周ケーブル３２の端部同士をＰＣ定着部６０を介して水平に連結して緊張するため、両方向に緊張する形となり、過度な応力集中が発生することがない。なお、従来のピラスターによる周ケーブルの緊張では、端部を一方向に緊張するため、周ケーブルの端部周辺のピラスターコンクリートには、過度な圧縮力が導入されて、ひいては、過度な応力集中が発生してしまう。
【００６５】
二つの周ケーブル３２の端部同士は、ＰＣ定着部６０を介して水平に連結されているため、周ケーブル３２の連結部において力のねじれが生じることがない。また、周ケーブル３２の端部同士の間に高さ方向の段差が生じることもないため、周ケーブル３２の高さ方向の配設ピッチが周ケーブル３２の端部同士の接合部により制限されることもない。
【００６６】
本実施形態の地上タンク１は、２本（複数本）の周ケーブル３２，３２の端部同士を連結することで、周ケーブル３２，３２が１つの輪として形成される。そのため、側壁２０に対して、一様な大きさの圧縮力を導入することが可能となる。そのため、高品質な地上タンク１（側壁２０）を形成することができる。
ゆえに、周ケーブルが２系統に分断された状態で緊張することにより、側壁に導入される周方向の圧縮力が局所的に変化してしまうピラスター構造の地上タンクの問題点を解消することができる。
【００６７】
突出部２１により周ケーブル３２と側壁２０との間に隙間が形成されるため、周ケーブル３２を緊張することにより側壁２０に近づくＰＣ定着部６０が、側壁２０と接触することを防止している。そのため、ＰＣ定着部６０との接触により側壁２０が損傷することを防止できる。
【００６８】
以上、本考案に係る実施の形態について説明した。しかし、本考案は、前述の実施形態に限られず、前記の各構成要素については、本考案の趣旨を逸脱しない範囲で、適宜変更が可能である。
【００６９】
例えば、前記実施形態では突出部２１を側壁２０の外面に形成する場合について説明したが、突出部２１は、必要に応じて形成すればよく、省略してもよい。
【００７０】
また、図８に示すように、複数の突出部２１，２１，…を、周ケーブル３２の高さ位置に応じて形成してもよく、突出部２１は必ずしも上下方向で連続して形成しなくてもよい。
【００７１】
前記実施形態では、突出部２１を側壁２０と一体に形成する場合について説明したが、プレキャスト部材等の別体を側壁の外面に設置することで、突出部２１を形成してもよい。
【００７２】
周ケーブル３２は、側壁２０下端から上端に向って均一なピッチで配設してもよいし、高さレベルに応じて異なるピッチで配設してもよい。
【符号の説明】
【００７３】
１    地上タンク
１０  底版
２０  側壁
２１  突出部
２２  隙間
３２  周ケーブル（ＰＣケーブル）
６０  ＰＣ定着部
【図１】
0003172875.tif 000003
【図２】
0003172875.tif 000004
【図３】
0003172875.tif 000005
【図４】
0003172875.tif 000006
【図５】
0003172875.tif 000007
【図６】
0003172875.tif 000008
【図７】
0003172875.tif 000009
【図８】
0003172875.tif 000010